(57)【要約】【課題】シンプルで革新的なデザインを有することによって、スペース節約及び組み立て容易性という効果を達すると同時に、使用時に楽しみをもたらすことのできるランプシェード及びランプを提供することを課題とする。【解決手段】本発明のランプシェードは、基板と、弾性カバーと、支持部材と、連係部材とを備える。基板は収容スロット及び位置決め手段を有し、収容スロットと位置決め手段は基板の表面に配置される。弾性カバーは基板の表面を覆う。支持部材の両端は折り曲げて２つのピボット部を形成し、ピボット部は回動可能に基板に接続される。支持部材は収容スロットに収容される。連係部材は固定部と、第１端部と、第２端部とを有する。固定部は第１端部と第２端部との間に配置され、且つ固定部は支持部材に固定され、連係部材は位置決め手段に移動可能に配置されると同時に、連係部材は支持部材を動かす。また、本発明はランプを更に開示する。【選択図】図１
2016201350.tif 000002
【特許請求の範囲】
【請求項１】
発光ユニットを備えた少なくとも１つの収容スロットと少なくとも１つの位置決め手段を有する基板と、
前記基板の前記表面を覆うところの透光性を有する弾性カバーと、
前記収容スロットに収容され、その両端を折り曲げて形成した２つのピボット部を有し、前記２つのピボット部が前記基板に回動可能に接続される少なくとも１つの支持部材と、
固定部と、第１端部と、第２端部を有する連係部材と、を備え、
前記固定部は前記第１端部と前記第２端部との間に配置され、且つ前記固定部は前記支持部材に固定され、前記連係部材は前記位置決め手段に移動可能に配置されると同時に、前記連係部材は前記支持部材を動かすよう構成されたこと、を特徴とするランプシェード。
【請求項２】
力を前記第１端部に加えた時、前記支持部材は前記ピボット部を軸として回転し、前記支持部材は前記基板に対して１つの特定角度を形成し、別の力を第２端部に加えた時、前記支持部材は前記ピボット部を軸として回転し、前記支持部材は前記収容スロットに復帰、収容されることを特徴とする請求項１に記載のランプシェード。
【請求項３】
前記位置決め手段は穿孔であり、前記連係部材は前記穿孔に挿通されることを特徴とする請求項１または請求項２に記載のランプシェード。
【請求項４】
前記位置決め手段はトグルであり、前記連係部材は前記トグルに挿通され、且つ前記第１端部と前記第２端部は前記基板の前記表面に位置することを特徴とする請求項１〜請求項３のいずれか１つに記載のランプシェード。
【請求項５】
前記連係部材はロープであることを特徴とする請求項１〜請求項４のいずれか１つに記載のランプシェード。
【請求項６】
スイッチ素子を有する発光ユニットと、
ランプシェードと、を備え、
前記ランプシェードは、
前記発光ユニットが設けられ、表面に少なくとも１つの収容スロットと少なくとも１つの位置決め手段を有する基板と、
前記基板の前記表面を覆うところの透光性を有する弾性カバーと、
前記収容スロットに収容され、その両端を折り曲げて形成した２つのピボット部を有し、前記２つのピボット部が前記基板に回動可能に接続され、且つ前記スイッチ素子が前記２つのピボット部のうちの１つに隣接する少なくとも１つの支持部材と、
固定部と、第１端部と、第２端部を有する連係部材と、を備え、
前記固定部は前記第１端部と前記第２端部との間に配置され、且つ前記固定部は前記支持部材に固定され、前記連係部材は前記位置決め手段に移動可能に配置されると同時に、前記連係部材は前記支持部材を動かすことを特徴とするランプ。
【請求項７】
力を前記第１端部に加えた時、前記支持部材は前記ピボット部を軸として回転し、前記支持部材は前記基板に対して１つの特定角度を形成し、且つ前記支持部材と前記スイッチ素子は接触し、別の力を前記第２端部に加えた時、前記支持部材は前記ピボット部を軸として回転し、前記支持部材は前記収容スロットに復帰、収容されると同時に、前記支持部材は前記スイッチ素子から離れることを特徴とする請求項６に記載のランプ。
【請求項８】
前記発光ユニットは前記収容スロットに設置されることを特徴とする請求項６または請求項７に記載のランプ。
【請求項９】
前記ランプシェードは、導光板を更に備え、前記導光板は前記基板に設置されると同時に、前記発光ユニットに接続することを特徴とする請求項６〜請求項８のいずれか１つに記載のランプ。
【請求項１０】
前記導光板は前記収容スロットに設置されることを特徴とする請求項９に記載のランプ。
【発明の詳細な説明】
【技術分野】
【０００１】
本発明は、ランプシェード及びランプに関する。
【背景技術】
【０００２】
現在、ランプシェード、またはランプはいずれも天井に取り付けられ、またはテーブルもしくは地面に立ち上げて設置されるため、一定のスペースを占有してしまう。近年では、美観とスペース節約の目的を達成するために、業界ではダウンライトをすでに開発している。しかしながら、ダウンライトは壁内に設置されるので、取り付けの際に、壁の一部を破壊しなければならず、そのため通常、インテリアデザインや内装の工事に先立って、ダウンライトの使用を事前に計画した上で施工する必要がある。よって、ダウンライトは一般消費者がランプを購入して自分で取り付けるのには適していない。
【０００３】
また、現今のランプは、いずれもボタン操作により点灯、消灯するものであり、且つその構造が単調であるため、使用時の趣に欠ける。
【０００４】
したがって、シンプル、且つ革新的なデザインによって、スペース節約及び組み立て容易性という目的を達成できるとともに、ユーザが点灯、または消灯する際に、使用の楽しみをもたらすことのできるランプシェード及びランプを設計することが、ランプシェード及びランプの設計業者にとって重要な課題となる。
【発明の概要】
【発明が解決しようとする課題】
【０００５】
上記の課題に鑑みて、本発明の目的は、シンプル、且つ革新的なデザインを有することによって、スペース節約及び組み立て容易性という効果を達すると同時に、使用時に楽しみをもたらすことのできるランプシェード及びランプを提供することにある。
【課題を解決するための手段】
【０００６】
上記目的を達成するために、本発明のランプシェードは、基板と、弾性カバーと、少なくとも１つの支持部材と、連係部材とを備える。基板は発光ユニットを備えた少なくとも１つの収容スロット及び位置決め手段を有し、収容スロットと位置決め手段は基板の表面に配置される。弾性カバーは透光性を有し基板の表面を覆う。支持部材の両端は折り曲げて２つのピボット部を形成し、前記２つのピボット部は回動可能に基板に接続し、支持部材は収容スロットに収容される。連係部材は固定部と、第１端部と、第２端部とを有し、固定部は第１端部と第２端部との間に配置され、且つ固定部は支持部材に固定され、連係部材は位置決め手段に移動可能に配置されると同時に、連係部材は支持部材を動かす。
【０００７】
本発明の一実施例では、力を第１端部に加えた時、支持部材はピボット部を軸として回転し、支持部材は基板に対して１つの特定角度を形成し、別の力を第２端部に加えた時、支持部材はピボット部を軸として回転し、支持部材は収容スロットに復帰、収容される。
【０００８】
本発明の一実施例では、位置決め手段は穿孔であり、連係部材は穿孔に挿通される。
【０００９】
本発明の一実施例では、位置決め手段はトグルであり、連係部材はトグルに挿通され、且つ第１端部と第２端部は基板の表面に位置する。
【００１０】
本発明の一実施例では、連係部材はロープである。
【００１１】
上記目的を達成するために、本発明のランプは、発光ユニットとランプシェードを備える。発光ユニットはスイッチ素子を有する。ランプシェードは基板と、弾性カバーと、少なくとも１つの支持部材と、連係部材とを備える。基板は少なくとも１つの収容スロット及び位置決め手段を有し、収容スロットと位置決め手段は基板の表面に配置され、発光ユニットは基板に設置される。弾性カバーは透光性を有し基板の表面を覆う。支持部材の両端を折り曲げて２つのピボット部を形成し、前記２つのピボット部は回動可能に前記基板に接続し、支持部材は収容スロットに収容され、且つスイッチ素子は前記２つのピボット部のうちの１つに隣接する。連係部材は固定部と、第１端部と、第２端部とを有し、固定部は第１端部と第２端部との間に配置され、且つ固定部は支持部材に固定され、連係部材は位置決め手段に移動可能に配置されると同時に、連係部材は支持部材を動かす。
【００１２】
本発明の一実施例では、力を第１端部に加えた時、支持部材はピボット部を軸として回転し、支持部材は基板に対して１つの特定角度を形成し、且つ支持部材とスイッチ素子は接触する。別の力を第２端部に加えた時、支持部材はピボット部を軸として回転し、支持部材は収容スロットに復帰、収容され、且つ支持部材はスイッチ素子から離れる。
【００１３】
本発明の一実施例では、発光ユニットは収容スロットに設置される。
【００１４】
本発明の一実施例では、ランプシェードは、導光板を更に備え、導光板は基板に設置されると同時に、発光ユニットに接続する。
【００１５】
本発明の一実施例では、導光板は収容スロットに設置される。
【発明の効果】
【００１６】
上述より、本発明のランプシェードは、可動の支持部材の設計、連係部材と支持部材の接続関係、及び弾性カバーが基板の表面を覆う設計によって、ユーザが点灯する時、第１端部に対して直接下向きの力を加えると、支持部材が下向きの引張力によってピボット部を軸として回転すると同時に、弾性カバーを盛り上げるように支持することで、弾性カバーに立体状態を形成させることができる。また更に、本発明のランプは、支持部材とスイッチ素子を接触させることで、発光ユニットをオンにすることができる。ユーザがライトを消灯しようとする時、第２端部に対して下向きの力を加えると、支持部材は上向きに引っ張られて収容スロット内に復帰、収容され、この時に支持部材はスイッチ素子と接触しなくなることで、発光ユニットをオフにすることができる。また、基板の設計によって、ランプシェードとランプは壁に掛けることができたり、机に直立状態で設置することができるようになるため、組み立て易いという効果を達することができる。ランプが非使用（消灯）の時、ランプシェードはフラット状態を呈するため、スペース節約の効果を達することができる。また、ランプが立体状態を呈する時に発光ユニットをオンにし、ランプがフラット状態を呈する時に発光ユニットをオフにするような設計は、使用上の楽しみを増すことができる。
【図面の簡単な説明】
【００１７】
【図１】本発明の実施例１に係るランプシェードを備えたランプの概略図である。
【図２Ａ】図１に示されたランプシェードがフラット状態を呈した時の概略図である。
【図２Ｂ】図１に示されたランプシェードが立体状態を呈した時の概略図である。
【図３Ａ】図１に示された支持部材の作動概略図である。
【図３Ｂ】図１に示された支持部材の作動概略図である。
【図４Ａ】図２Ａに示されたランプシェードの概略縦断面図である。
【図４Ｂ】図２Ｂに示されたランプシェードの概略縦断面図である。
【図５】本発明の実施例２に係るランプシェードの基板の概略図である。
【図６】本発明の実施例３に係るランプシェードの概略図である。
【図７Ａ】本発明の実施例４に係るランプシェードの概略図である。
【図７Ｂ】図７Ａに示された支持部材の作動概略図である。
【図７Ｃ】図７Ａに示された支持部材の作動概略図である。
【発明を実施するための形態】
【００１８】
関連する図面を参照しながら、本発明の好ましい実施例に係るランプシェード及びランプを以下の通りに説明し、このうち同じ部材は同じ符号を付して説明する。
【実施例１】
【００１９】
図１は本発明の実施例１に係るランプシェードを備えたランプの概略図である。図１を参照されたい。本実施例のランプＬはランプシェード１及び発光ユニット２を備える。ランプシェード１は基板１１と、弾性カバー１２と、少なくとも１つの支持部材１３と、連係部材１４とを備える。基板１１は少なくとも１つの収容スロット１１１及び位置決め手段１１２を有し、収容スロット１１１と位置決め手段１１２は基板１１の表面１１３に配置され、即ち、収容スロット１１１と位置決め手段１１２は基板１１の同一表面に配置され、本実施例では表面１１３に配置された場合を例とする。本実施例の支持部材１３は基板１１に可動設置することで、ランプシェード１はフラット状態と立体状態の２つの異なる状態との間で変換でき、更に使用上の楽しみをもたらすことができる。以下、まず、支持部材１３の作動方式、及び支持部材１３は、どのようにランプシェード１をフラット状態と立体状態との間で変換させるかについて簡単に述べ、その後、ランプシェード１の各部材の構造、各部材の接続関係及びその作動方式を更に詳しく述べる。
【００２０】
図２Ａは図１に示されたランプシェードがフラット状態を呈した時の概略図であり、図２Ｂは図１に示されたランプシェードが立体状態を呈した時の概略図であり、図３Ａと図３Ｂは図１に示された支持部材の作動概略図であり、そのうち図３Ａは図２Ａのフラット状態に対応し、図３Ｂは図２Ｂの立体状態に対応する。まず、図２Ａと図３Ａを参照されたい。本実施例の発光ユニット２は基板１１に設置されると同時に、収容スロット１１１内に設置し、弾性カバー１２は基板１１の表面１１３を覆う。本実施例の弾性カバー１２は表面１１３のみを覆うが、もちろん、その他の実施例において、弾性カバー１２は他側の表面１１４まで延伸して覆うことができる。且つ好ましくは、弾性カバー１２を、弾性を有し且つ半透明なライクラ（登録商標）布で構成することで、発光ユニット２の光は弾性カバー１２を透過することができる。もちろん、弾性カバー１２はその他の弾性を有し、且つ半透明な材料から構成することもできる。弾性カバー１２は様々なパターンを有することで、発光ユニット２の光が弾性カバー１２を透過する時に、様々な変化をもたらすことができる。また、本発明は発光ユニット２のタイプを制限しない。発光ユニット２は、例えば、白熱灯、蛍光灯、または発光ダイオード（Light-Emitting Diode, LED）などであるが、これらに限定されない。好ましくは、発光ダイオード（LED）を本実施例の発光ユニット２とすることができる。
【００２１】
本実施例で言うところの「支持部材１３は収容スロット１１１に収容されることができる」とは、支持部材１３が収容スロット１１１内に収容されることで、フラット状態（図２Ａ及び図３Ａの如く）を形成できることを指す。また、支持部材１３が基板と１つの特定角度θを形成することで、立体状態（図２Ｂ及び図３Ｂの如く）を形成できることを指す。本実施例で言うところの「フラット状態」とは、支持部材１３が収容スロット１１１内に収容される時に、弾性カバー１２はフラット状態を呈することを指す。同様に、図２Ｂ及び図３Ｂを参照されたい、本実施例で言うところの「立体状態」とは、支持部材１３がピボット部１３１を軸として回転すると同時に、基板１１に対して１つの特定角度を形成する状態を指す。この際、弾性カバー１２は支持部材１３に支持されて持ち上げられ、盛り上げられることで、立体状態を呈するようになる。
【００２２】
具体的には、本実施例の支持部材１３は細長状のフレームであると同時に、弧形を呈する。支持部材１３の両端は折り曲げて２つのピボット部１３１を形成し、ピボット部１３１は基板１１に接続することで、支持部材１３がピボット部１３１を軸とし、基板１１に対して回転することができる。本実施例の支持部材１３の両端は内向きに折り曲げられ、ここでの「内向きに折り曲げる」とは、図１または図３Ｂに示した如く、弧形（支持部材１３）の内部に折り曲げることを指す。しかしながら、その他の実施例において、支持部材１３の両端を外向きに折り曲げてピボット部１３１を形成することもでき、本発明はこれに限定されない。また、ピボット部１３１は基板１１に回動可能に接続することができ、即ち、ピボット部１３１は基板１１に接続すると同時に、ピボット部１３１は収容スロット１１１の底縁に位置しており、支持部材１３が基板１１側に向けて回転した時、支持部材１３は収容スロット１１１内に収容されることで、ランプシェード１をフラット状態（図２Ａの如く）にすることができる。支持部材１３が基板１１から離れる方向へ回転した時、図３Ｂの如く、支持部材１３と基板１１は１つの特定角度θを形成することで、ランプシェード１が立体状態（図２Ｂの如く）を呈することができる。
【００２３】
本実施例では、連係部材１４は、支持部材１３を動かすことができる。具体的に言えば、ユーザが連係部材１４に対して力を加えることによって、支持部材１３を動かして回転させることができ、即ち、支持部材１３がピボット部１３１を軸として回転することができる。また、本実施例で言うところの「連係部材１４は、支持部材１３を動かすことができる」とは、連係部材１４に力を加えた時に、支持部材１３動かして回転可能にすることを指す。詳しく言えば、連係部材１４は固定部１４１と、対向して配置される第１端部１４２及び第２端部１４３とを有する。固定部１４１は第１端部１４２と第２端部１４３との間に配置されると同時に、固定部１４１は支持部材１３に固定され、連係部材１４は基板１１の位置決め手段１１２に移動可能に設置することができる。連係部材１４はロープであり、即ち、材料が限定されない縄状のものであり、例えば、綿糸、ナイロンロープ、レザーロープ、チェーン、またはこれらの組み合わせであるが、これらに限定されるものではない。また、本実施例の位置決め手段１１２は連係部材１４を基板１１の特定位置に保持することができ、なお且つ連係部材１４は、依然として、位置決め手段１１２内で移動することができる。例えば、本実施例では、位置決め手段１１２が基板１１に明けた穿孔であり、この穿孔に連係部材１４が挿通される場合を例とするが、その他の実施例において、位置決め手段をトグル（図５を先に参照されたい）とすることもできる。
【００２４】
図４Ａは図２Ａに示されたランプシェードの概略縦断面図であり、図４Ｂは図２Ｂに示されたランプシェードの概略縦断面図である。図４Ａと図４Ｂを同時に参照されたい。本実施例では１本のロープである連係部材１４を例として説明する。連係部材１４は位置決め手段１１２に移動可能に設置することができ、本実施例において、位置決め手段１１２は穿孔を例とし、「移動可能に設置する」とは、連係部材１４が穿孔に挿通されることを指す。連係部材１４は位置決め手段１１２に挿通された後、連係部材１４の両端はそれぞれ基板１１の２つの表面１１３、１１４に位置する。ここにおいて、本実施例では、固定部１４１に近い端部を第１端部１４２と呼び、他方、位置決め手段１１２を通過して表面１１４側に伸びた端部を第２端部１４３と呼ぶ。また、連係部材１４の固定部１４１は支持部材１３に固定され、本実施例では連係部材１４を直接に、またはリング状部材を介して支持部材１３に結び付ける。図３Ａの如く、本実施例ではこの結んだ部分を固定部１４１と称する。もちろん、その他の実施例において、連係部材１４を２本のロープから組成されるものとすることもできる。具体的に言えば、２本のロープのうちの１本の一端は支持部材１３に固定し、もう片端はぶら下がって前記の第１端部を形成し、もう１本のロープの一端は支持部材１３に固定し、もう片端は位置決め手段１１２を通過した後、ぶら下がって前記の第２端部を形成するようにする。つまり、２本のロープの各々の一端は支持部材１３に固定されて固定部１４１を形成し、非固定の自由端部はそれぞれ第１端部１４２と第２端部１４３とされる。
【００２５】
好ましくは、本実施例の基板１１に、位置決め手段１１２以外に、もう１つの穿孔１１５（図３Ｂ、４Ａ、４Ｂ参照）を更に設けることで、第１端部１４２を穿孔１１５に挿通させ、第１端部１４２と第２端部１４３を、収容スロット１１１と支持部材１３が設けられていない側の表面１１４に位置させることができる。本実施例のランプＬは、支持部材１３によって弾性カバー１２を支持して持ち上げることで、ランプＬの全体がフラット状態と立体状態との間で変形できると同時に、穿孔１１５を設けることによって、第１端部１４２と第２端部１４３をいずれも表面１１４側に配置させることで、弾性カバー１２の表面が第１端部１４２の影響を受けることなく、比較的に平坦な表面を呈するようにすることができる。
【００２６】
図３Ａと図３Ｂを同時に参照されたい。本実施例における発光ユニット２はスイッチ素子２１を有し、このスイッチ素子２１は前記２つのピボット部１３１のうちの中の１つに隣接する。好ましくは、スイッチ素子２１を、収容スロット１１１の底縁に設置することにより、支持部材１３がピボット部１３１を軸として回転した時、支持部材１３がスイッチ素子２１と接触したり、接触しないようになったりするようにすることができる。具体的に言えば、図３Ｂと図４Ｂを参照されたい。第１端部１４２に力（即ち、下向きに引っ張る力）を加えた時、支持部材１３はピボット部１３１を軸として回転し、支持部材１３が基板に対して１つの特定角度θを形成し、好ましくは、本実施例において、特定角度θは、実質上９０度であり、且つ支持部材１３によって、弾性カバー１２を背面側から支持して持ち上げ、盛り上げることで、ランプＬを立体状態にする。支持部材１３はピボット部１３１を軸として回転する過程で、支持部材１３と基板１１が９０度近い特定角度θを形成した時に、支持部材１３の一部がスイッチ素子２１と接触することで、発光ユニット２をオンにすることができる。もちろん、特定角度θの大きさはスイッチ素子２１と支持部材１３の相対位置によって調整を行うことができ、本発明はその角度を限定するものではない。図３Ａと図４Ａを参照されたい。相対的に、別の力を第２端部１４３に加える時、支持部材１３はピボット部１３１を軸として回転し、且つ支持部材１３は収容スロット１１１の方向に向いて移動するように引っ張られ、更に収容スロット１１１内に収容される。この時、ランプシェード１はフラット状態を呈し、且つ支持部材１３とスイッチ素子２１は接触しないため、発光ユニット２はオフにされ、消灯状態となる。
【００２７】
簡単に言えば、ユーザがランプＬを点灯しようとする時、第１端部１４２に対して下向きの力を加えると、支持部材１３は下向きの引張力によってピボット部１３１を軸として回転すると同時に、基板１１に対して特定角度θを形成する。この時、弾性カバー１２が背面側から支持されて持ち上げられ、立体状態を形成するだけでなく、支持部材１３の一部がスイッチ素子２１を押すことで発光ユニット２を同時にオンにする。ユーザが消灯しようとする時には、第２端部１４３に対して下向きに力を加えると、支持部材１３は、第２端部１４３からの力を受けて上向きに引っ張られ、ピボット部１３１を軸として回転することで、収容スロット１１１内に収容される。この時、弾性カバー１２はフラット状態を復帰するとともに、支持部材１３はスイッチ素子２１と非接触状態となるため、発光ユニット２をオフにすることができる。支持部材１３とスイッチ素子２１の配置、基板１１と弾性カバー１２の設計によって、ランプＬを壁に掛けることができ、或いは机に直立状態で置くことができるようにすることが可能であるとともに、ランプＬの非使用（消灯）時には、フラット状態を呈することで、スペース節約と組み立て容易性の効果を達することができる。また、ランプＬが立体状態である時に発光ユニットをオン（点灯）にし、ランプＬがフラット状態である時に発光ユニットをオフ（消灯）にするような設計により、使用上の楽しみを増すことができる。
【実施例２】
【００２８】
図５は本発明の実施例２に係るランプシェードの基板の概略図であり、本実施例において、基板１１ａの位置決め手段１１２ａはトグルである。ロープからなる連係部材１４はトグルに移動可能に挿通され、その第１端部１４２と第２端部１４３は基板１１ａの収容スロット１１１ａを有する側の表面１１３ａに配置される。ユーザは、同様に第１端部１４２に対して下向きの力を加えることで、支持部材１３がピボット部１３１を軸として回転して、弾性カバー１２を背面側から持ち上げ、盛り上げるように支持するとともに、ピボット部１３１とスイッチ素子２１が接触して点灯状態を形成する。また、ユーザは、第２端部１４３に対して下向きに力を加えることによって、支持部材１３がピボット部１３１を軸として回転し、且つ支持部材１３を収容スロット１１１ａ内に引き込むと同時に、ピボット部１３１とスイッチ素子２１を接触しないようにすることで消灯状態を形成する。その他の各部材の詳細な作動方式は実施例１を参考にすることができるため、ここでは繰り返して述べない。
【実施例３】
【００２９】
図６は本発明の実施例３に係るランプシェードの概略図である。図６を参照されたい。本実施例において、ランプシェード１ｂは、導光板１５ｂを更に備え、導光板１５ｂは基板１１ｂに設置し、好ましくは、導光板１５ｂは収容スロット１１１ｂに設置すると同時に、導光板１５ｂの一部は収容スロット１１１ｂから露出する。また、導光板１５ｂは発光ユニット２に接続することで、発光ユニット２がオン状態にある時に、光線を導光板１５ｂを通じて放出させることができる。同様に、その他の各部材の詳細な作動方式は実施例１を参考にすることができるため、ここでは繰り返して述べない。
【実施例４】
【００３０】
また、本発明は支持部材１３の数量を制限しない。図７Ａは本発明の実施例４に係るランプシェードの概略図である。図７Ａの如く、本実施例ではランプシェード１ｃが２つの支持部材１３ｃ、１３ｄを有する場合を例とするが、好ましくは、収容スロット１１１ｃ、１１１ｄの数量は支持部材１３ｃ、１３ｄの数量に対応する。詳しく言えば、本実施例のランプシェード１ｃは基板１１ｃと、弾性カバー１２ｃと、２つの支持部材１３ｃ、１３ｄと、連係部材１４ｃを備える。基板１１ｃは２つの収容スロット１１１ｃ、１１１ｄと、位置決め手段１１２ｃを有し、支持部材１３ｃは収容スロット１１１ｃに収容され、支持部材１３ｄは収容スロット１１１ｄに収容される。図７Ｂと図７Ｃは図７Ａに示された支持部材の作動概略図である。図７Ｂと図７Ｃを同時に参照されたい。本実施例の位置決め手段１１２ｃは収容スロット１１１ｄに設置され、連係部材１４cはロープであり、且つ２つの固定部１４１ｃ、１４１ｄを有し、固定部１４１ｃは支持部材１３ｃに固定され、固定部１４１ｄは支持部材１３ｄに固定される。連係部材１４ｃは位置決め手段１１２ｃを通過するとともに、対向して配置される第１端部１４２ｃと第２端部１４３ｃを有する。同様に、ユーザは、第１端部１４２ｃに対して下向きの力を加えることで、支持部材１３ｃと支持部材１３ｄにそれぞれピボット部１３１ｃとピボット部１３１ｄを軸として回転させて、支持部材１３ｃと支持部材１３ｄが同時に弾性カバー１２ｃを支持して持ち上げることで、実施例１とは異なる立体状態を形成させることができる。この時、ピボット部１３１ｃとスイッチ素子２１は接触することで、点灯状態を形成する。もちろん、その他の実施例において、スイッチ素子２１を収容スロット１１１ｄの底縁に設置することで、支持部材１３ｄとスイッチ素子２１を接触させることができるが、本発明はこれらに限定されない。ユーザが消灯しようとする時、第２端部１４３ｃに対して下向きの力を加えることで、支持部材１３ｃをピボット部１３１ｃを軸として回転させ、支持部材１３ｃと支持部材１３ｄをそれぞれ収容スロット１１１ｃと収容スロット１１１ｄ内に引き込むと同時に、ピボット部１３１ｃとスイッチ素子２１を接触しないようにすることで消灯状態を形成する。その他の各部材の詳細な作動方式は実施例１を参考にすることができるため、ここでは繰り返して述べない。上記より、本発明は、数量、形状及び配置が異なる様々な支持部材を設計することで、支持部材が弾性カバー１２を支持して持ち上げる時に、ランプシェード、またはランプに異なる複数の構造を持たせることができる。支持部材の形状は、例えば、半円形、円錐形、または他の多角形である。
【００３１】
上述より、本発明のランプシェードは、可動の支持部材の設計、連係部材と支持部材の接続関係、及び弾性カバーが基板の表面を覆う設計によって、ユーザが点灯する時、第１端部に対して直接下向きの力を加え、支持部材が下向きの引張力によってピボット部を軸として回転すると同時に、弾性カバーを盛り上げるように支持することで、弾性カバーに立体状態を形成させることができる。また更に、本発明のランプは、支持部材とスイッチ素子を接触させることで、発光ユニットをオンにすることができる。ユーザがライトを消灯しようとする時、第２端部に対して下向きの力を加えると、支持部材は上向きに引っ張られて収容スロット内に復帰、収容され、この時に、支持部材はスイッチ素子と接触しなくなることで、発光ユニットをオフにすることができる。また、基板の設計によって、ランプシェードとランプを壁に掛けることができたり、机に直立状態で設置することができるようになるため、組み立て易いという効果を達することができる。ランプが非使用（消灯）の時、ランプシェードはフラット状態を呈するため、スペース節約の効果を達成することができる。また、ランプが立体状態である時に発光ユニットをオンにし、ランプがフラット状態である時に発光ユニットをオフにするような設計は、使用上の楽しみを増すことができる。
【００３２】
上記実施例は例示的なものであって、本発明を限定するためのものではない。本発明の技術的思想および範囲から逸脱することなく行われる等価の修正または変更は、いずれも別紙の特許請求の範囲に含まれる。
【産業上の利用可能性】
【００３３】
本発明は以上の如く構成したため、シンプル、且つ革新的な構造デザインを有することによって、スペース節約及び組み立て容易性という効果を達すると同時に、使用時に楽しみをもたらすことのできるランプシェード及びランプを提供し得るものである。
【符号の説明】
【００３４】
１、１ｂ、１ｃ  ランプシェード
１１、１１ａ、１１ｂ、１１ｃ  基板
１１１、１１１ａ、１１１ｂ、１１１ｃ、１１１ｄ  収容スロット
１１２、１１２ａ、１１２ｂ、１１２ｃ  位置決め手段
１１３、１１３ａ、１１３ｂ、１１３ｃ、１１４  表面
１１５  穿孔
１２、１２ｂ、１２ｃ  弾性カバー
１３、１３ｂ、１３ｃ、１３ｄ  支持部材
１３１、１３１ｂ、１３１ｃ、１３１ｄ  ピボット部
１４、１４ｂ、１４ｃ  連係部材
１４１、１４１ｂ、１４１ｃ、１４１ｄ  固定部
１４２、１４２ｂ、１４２ｃ  第１端部
１４３、１４３ｂ、１４３ｃ  第２端部
１５ｂ  導光板
２  発光ユニット
２１  スイッチ素子
Ｌ  ランプ
θ  特定角度
【図１】
2016201350.tif 000003
【図２Ａ】
2016201350.tif 000004
【図２Ｂ】
2016201350.tif 000005
【図３Ａ】
2016201350.tif 000006
【図３Ｂ】
2016201350.tif 000007
【図４Ａ】
2016201350.tif 000008
【図４Ｂ】
2016201350.tif 000009
【図５】
2016201350.tif 000010
【図６】
2016201350.tif 000011
【図７Ａ】
2016201350.tif 000012
【図７Ｂ】
2016201350.tif 000013
【図７Ｃ】
2016201350.tif 000014